(57)【要約】【課題】  強度の向上が図られるとともに、部品の組み込みならびに配線がしやすくなって容易に製造することが可能となる電子機器を提供する。【解決手段】  レシーバ３１が内蔵されるトップハウジング１０と、マイクロホン３０が内蔵されるボトムハウジング２０とを、正極端子７０によって連結し、正極端子７０を介して各ハウジング１０，２０を互いに支持し合う構成とする。正極端子７０上に、回路基板３２を配設する。トップハウジング１０にレシーバ３１を組み込み、ボトムハウジング２０にマイクロホン３０を組み込み、これらを正極端子７０で連結することにより、組み込みや配線が容易となる。【選択図】      図１
2005286851.tif 000002
【特許請求の範囲】
【請求項１】
部品が内蔵される複数のハウジングと、
前記各部品の電源とされる電池が収納される電池ホルダ部と、
この電池ホルダ部に収納された電池と前記各部品とを導通させる端子部材とを備え、
前記複数のハウジングどうしが、前記端子部材によって互いに連結支持されていることを特徴とする電子機器。
【請求項２】
前記端子部材は、正極端子および負極端子であって、これら端子のうちの少なくともいずれか一方により、前記複数のハウジングどうしが連結されていることを特徴とする請求項１に記載の電子機器。
【請求項３】
前記端子部材は、正極端子および負極端子であって、これら端子の少なくとも一部によって、前記各ハウジングどうしが連結され、さらに、その連結部分の正極端子および負極端子が、互いに平行に配置されていることを特徴とする請求項１に記載の電子機器。
【発明の詳細な説明】
【技術分野】
【０００１】
本発明は、補聴器等の電池を内蔵する電子機器に係り、特に、部品を内蔵する別個のハウジングを２つあるいはそれ以上備えるとともに、これらハウジングを連結した構造を有する電子機器に関する。
【背景技術】
【０００２】
例えば、耳に装着する形式の小型補聴器は、マイクロホンやレシーバ、増幅回路等が収納されたハウジング等の先端に、耳に挿入される耳栓部が設けられ、耳に装着した状態で露出する後端面に、音を取り込む集音孔、音量を調整するためのボリュームノブとともに、電池を収納する蓋が設けられたものが知られている（例えば、特許文献１，２）。電池収納蓋は、ハウジング等の後端面に開閉自在にヒンジ結合され、開いた状態で、トレー状の電池収納蓋の内部が露出し、その内部に電池が落とし込まれて収納される。電池は、通常、いわゆるボタン型の小型のものが用いられる。
【０００３】
【特許文献１】実公平７−４９９２０号
【特許文献２】特公平８−２２１１６号
【発明の開示】
【発明が解決しようとする課題】
【０００４】
上記のような構造の補聴器では、ハウジングは樹脂で成形されているものが多く、樹脂製のハウジングは外部からの衝撃によって破損しやすい。そこで、強度を向上させるために肉厚を増加させることが考えられるが、これではハウジングの大きさが大きくなるか、ハウジング内の容積が減少してしまう。ハウジングは、耳の中に挿入されるものなので、大きさには自ずと制限があり、また、ハウジングの内部には、上記のようにマイクロホン、レシーバ、増幅回路等が収納されるので、強度の向上のために肉厚を増加させるにも、限度があった。
また、ハウジングは、耳に挿入される側の先端部に向かうにしたがって細くなるテーパ状に形成されている場合が多く、そのため、内部への部品の組み込みが容易ではなく、特に、先端に配するレシーバは組み込みにくいものであった。部品を組み込みやすくするために、ハウジングを分割させ、それぞれのハウジングに部品を組み込んでからハウジングを連結することが考えられるが、結局は、樹脂製のハウジングの低い強度によって、実現性に乏しかった。また、ハウジングの後端面に回路や配線が集中しがちであり、このため、配線作業に高度な技術を要し、製造の容易性を阻害する要因となっていた。
【０００５】
よって本発明は、強度の向上が図られるとともに、部品の組み込みならびに配線がしやすくなって容易に製造することが可能となる電子機器を提供することを目的としている。
【課題を解決するための手段】
【０００６】
本発明は、部品が内蔵される複数のハウジングと、各部品の電源とされる電池が収納される電池ホルダ部と、この電池ホルダ部に収納された電池と各部品とを導通させる端子部材とを備え、複数のハウジングどうしが、端子部材によって互いに連結支持されていることを特徴としている。
【０００７】
本発明によれば、複数のハウジング内にそれぞれ必要な部品を収納し、これらハウジングを端子部材で連結した構造であるから、複数の部品を１つのハウジング内に組み込み、さらにそれらを導通させる配線作業を行う場合と比べると、部品を各ハウジングに分散させ、それら部品を、端子部材を利用して配線を行うことにより、部品の組み込みや配線作業は格段に容易となる。また、ハウジングどうしを金属製の端子部材で連結し、この端子部材でハウジング相互を支持するので、強度の向上が図られる。
【０００８】
本発明は、端子部材が正極端子および負極端子であって、これら端子のうちの少なくともいずれか一方によって複数のハウジングどうしが連結されている形態を含む。また、正極端子と負極端子の双方によって複数のハウジングが連結され、さらにその端子部材の連結部分が、互いに平行に配置されている形態を含む。
【発明の効果】
【０００９】
本発明によれば、部品が内蔵される複数のハウジングを端子部材で連結して相互に支持し合う構造としたので、強度の向上が図られるとともに、ハウジング内への部品の組み込みならびに配線がしやすくなり、その結果、容易に製造することが可能となるといった効果を奏する。
【発明を実施するための最良の形態】
【００１０】
以下、図面を参照して本発明を補聴器に適用した一実施形態を説明する。
図１および図２は、一実施形態に係る補聴器１を示している。この補聴器１は、耳に装着する形式の小型補聴器であって、図中符号１Ａはハウジングである。このハウジング１Ａは、図１（ａ）で左側である先端側のトップハウジング１０と、このトップハウジング１０の後側に配されるボトムハウジング２０との組み合わせからなる。
【００１１】
トップハウジング１０は、先端側に円筒部１１を有し、この円筒部１１の先端中心には、細筒部１２が形成されている。円筒部１１は、図において断面縦長の楕円状であり、その後端には、後方に向かうにしたがって広がるテーパ部１３が形成され、さらに、このテーパ部１３の後端の一部（図で上部）には、円筒部１１の周壁から延長して後方に延びる周壁部１４が形成されている。
【００１２】
トップハウジング１０の円筒部１１の内部には、レシーバ３１が嵌合されている。このレシーバ３１は、バランスドアーマチュア型の電磁型レシーバであり、その先端面に放音孔を有している。トップハウジング１０の先端の細筒部１４には、音道管４０が圧入によって固定されている。音道管４０の先端部は細筒部１４から突出しており、その突出部から細筒部１４にわたる部分に、イヤーチップ５０が装着されている。このイヤーチップ５０は、例えばシリコーンゴム等の軟質材料で成形されたもので、円筒部５３の周囲に、先端側から第１フランジ部５１、この第１フランジ部５１よりも大径の第２フランジ部５２が形成されている。いずれのフランジ部５１，５２も、先端側から後方に向かうにしたがって傘状に広がっており、非常に柔らかく、弾性変形するものである。イヤーチップ５０は、円筒部５３内に、細筒部１４が圧入されることにより、トップハウジング１０に装着されている。
【００１３】
ボトムハウジング２０は、トップハウジング１０の後端の開口を塞ぐ底板部２１を有し、この底板部２１の周縁の一部（図で下部）には、前方に延びる周壁部２４が形成されている。トップハウジング１０の周壁部１４と、ボトムハウジング２０の周壁部２４とは、図に示す組み込み状態で、互いに平行な状態で対向している。
【００１４】
ボトムハウジング２０の底板部２１は、その後端面に、後方に突出する円筒軸部２２を有しており、底板部２１の内部には、集音部側を後方に向けたマイクロホン３０が嵌合されている。円筒軸部２２の中心には、集音孔２３が形成されている。また、円筒軸部２２の外周には、その軸回りに回転自在にリング状のノブ１００が装着されている。このノブ１００は、円筒軸部２２の後端面に固着されたリング状のストッパ２５によって抜け止めがなされている。ノブ１００の外周の所定位置には、図２（ｂ）に示すように、径方向および後方に突出する複数の突起１００ａ〜１００ｃが形成されている。この場合、突起は第１突起１００ａ、第２突起１００ｂおよび第３突起１００ｃの３つであり、これら突起１００ａ〜１００ｃは、ノブ１００を回転させやすくするための手掛かりであって、第１突起１００ａを頂点とする二等辺三角形を描く位置に配されている。なお、第２突起１００ｂと第３突起１００ｃは同じ大きさであり、これら突起１００ｂ，１００ｃよりも、第１突起１００ａは大きく形成されている。
【００１５】
上記のトップハウジング１０とボトムハウジング２０とは、周壁部１４，２４を互いに対向させた配置関係で、相互に連結されてハウジング１０を構成するが、その連結には、弾性金属からなる正極端子７０が用いられている。正極端子７０は、図１（ａ）に示すように、上板部７１と、この上板部７１の両端縁からそれぞれ直角に垂下する前板部７２および後板部７３とを備えた側面視門型状に形成されたものである。前板部７２の一方（図１（ａ）で手前側、（ｂ）で左側）の側縁と、この側縁とは反対側の側縁から所定距離内側に当たる部分には、前方に延びる矩形状の爪部７２ａが形成されている。また、後板部７３の両側縁には、後方に延びる矩形状の爪部７３ａが形成されている。すなわち、正極端子７０は、前部に左右一対（図１（ａ）で図面奥側と手前側）の爪部７２ａを、後部に左右一対の爪部７３ａを、それぞれ有している。
【００１６】
正極端子７０の前側の一対の爪部７２ａは、テーパ部１３の内周壁に形成された浅い凹所１３ａに嵌め込まれ、接着によって固着されている。また、後側の一対の爪部７３ａは、ボトムハウジング２０の底板部２１の周縁に形成された周環部２１ｂの内周面に形成された浅い凹所２１ａに嵌め込まれ、接着によって固着されている。このように、正極端子７０がトップハウジング１０とボトムハウジング２０とに固着されることにより、この正極端子７０を介して両ハウジング１０，２０は連結されている。なお、正極端子７０は、トップハウジング１０の周壁部１４の両側縁に固着されてもいる。正極端子７０の上板部７１の外側には、ＩＣを備えた回路基板３２が接着によって固着されている。すなわち回路基板３２は、正極端子７０の上板部７１とトップハウジング１０の周壁部１４との間の空間に配設されている。
【００１７】
また、ボトムハウジング２０の周壁部２４の内面には、弾性を有する金属片からなる負極端子８０が固着されている。この負極端子８０は、正極端子７０の上板部７１と平行に対向する主板部８１と、この主板部８１の後端から直角に上方に屈曲する後板部８２と、主板部８１の前端から前方に突出する端子部８３とを備えている。負極端子８０は、主板部８１が周壁部２４の内面に接着され、後板部８２が底板部２１に接着されることにより、ボトムハウジング２０に固着されている。
【００１８】
ハウジング１Ａ内には、上記正極端子７０と負極端子８０とにより電池ホルダ部１５が構成され、その内部空間が、電池収納空間１６とされる。この電池収納空間１６に、回路基板３２を介してマイクロホン３０およびレシーバ３１の駆動用のＩＣに電力を供給する電池６０が収納される。電池６０は、薄型円筒状のボタン型であって、軸方向一端側の突出部６１の端面が負極、突出部６１の反対側の端面から周面にわたる部分が、正極である。
【００１９】
電池６０は、突出部６１を図中下方の負極端子８０側に向け、正極の底面を正極端子７０の上板部７１側に向けた姿勢で、電池収納空間１６内に収納される。その収納状態で、電池６０の底面：正極には、正極端子７０の上板部７１に形成された接触片７１ａが弾性的に接触し、突出部６１の端面：負極には、負極端子８０の主板部８１に形成された接触片８１ａが弾性的に接触する。これによって電池６０は電池収納空間１６に保持される。
【００２０】
ハウジング１Ａにおいては、上下の周壁部１４，２４の間の両側が開口しており、これら開口１７のうちの一方が、電池収納空間１６に対する電池６０の挿入口、他方が電池６０の取り出し口とされる。電池６０は、上記のような電池収納空間１６での姿勢で、一方の開口１７から電池収納空間１６に収納され、また、同じ姿勢で、他方の開口１７から取り出される。そのため、これら開口１７，１７は、電池６０が通過可能な寸法および形状に設定されている。
【００２１】
トップハウジング１０の内面におけるテーパ部１３の図中下部には、段部１３ｃが形成されている。また、ボトムハウジング２０の内面における底板部２１から周壁部２４にわたる部分にも、段部２１ｃが、正極端子７０の後板部８２の両側に一対の状態で形成されている。これら段部１３ｃ，２１ｃが形成されていることにより、図１（ａ）に示すように、開口１７から見た電池収納空間１６の形状（電池６０の出し入れ方向に直交する断面形状）は、収納される電池６０の側面視と相似した形状に見える。
【００２２】
ハウジング１Ａを構成する上下の周壁部１４，２４の外周側には、カバー９０が軸方向に摺動自在に装着されている。このカバー９０の軸方向長さは、各周壁部１４，２４のそれとほぼ同じであり、各周壁部１４，２４の外周面全面を覆う位置で、各開口１７を塞ぐ。また、カバー９０を図１（ａ）で右側にスライドさせると、図２（ａ）に示すように、各開口１７が開く。
【００２３】
カバー９０は、図１（ｂ）に示すように、両側の側壁部９１と、これら側壁部９１をつなぐ上下の周壁部９２とを備えた図中縦長の断面楕円の円筒状のものである。カバー９０および上下の周壁部１４，２４で形成される円筒状体に対し、トップハウジング１０の上記円筒部１１は、図１（ｂ）に示すように、一側方に偏心している。カバー９０の下側の周壁部９２の前端内周面には、周方向に延びる短い凸条９３が形成されており、一方、ボトムハウジング２０の周壁部２４の外周面には、軸方向に延び、凸条９３が嵌合するガイド溝２４ａが形成されている。凸条９３がガイド溝２４ａに沿って摺動することにより、カバー９０の軸方向へのスライドが案内される。
【００２４】
ボトムハウジング２０の周壁部２４における上記ガイド溝２４ａの後端には、凸条９３が当接するストッパ段部２４ｂが形成されており、このストッパ段部２４ｂに凸条９３が当接することにより、カバー９０は、開口１７が開く全開の状態で抜け止めがなされる。さらに、トップハウジング１０のテーパ部１３における下側の後端部の外周面には、外周側に僅かに突出するフック部１３ｄと、このフック部１３ｄの前側にストッパ溝１３ｅが形成されており、凸条９３がフック部１３ｄに乗り上げてストッパ溝１３ｅに嵌合することにより、カバー９０はスライド不能となり、開口１７が閉じる全閉の状態に保持される。
【００２５】
さて、本実施形態の補聴器１は、集音孔２３からマイクロホン３０に導入された外部の音がレシーバ３１より放音されるが、この補聴器１の動作をＯＮ／ＯＦＦさせるスイッチおよびレシーバ３１からの音量の調整が、上記ノブ１００によってなされる。また、ノブ１００は、動作中ではカバー９０が閉じた状態を保持させる機能も備えている。
【００２６】
図１（ａ）および図３（ａ）に示すように、カバー９０の後端縁は内側に屈曲してフランジ部９４が形成されており、このフランジ部９４には、内側の円形の孔に開口する矩形状の複数の切欠き９４ａ〜９４ｃが形成されている。この場合、切欠きは、ノブ１００の突起１００ａ〜１００ｃに対応する位置と大きさに形成された第１切欠き９４ａ、第２切欠き９４ｂおよび第３切欠き９４ｃである。図３（ａ）に示すように、ノブ１００を、第１突起１００ａが図中最も下に位置し、第２突起１００ｂおよび第３突起１００ｃが上方であって互いに水平に並ぶ位置において、ノブ１００はカバー９０が開くことが可能なロック解除の状態になる。
【００２７】
図３に示すように、ノブ１００の裏面には、音量調整用ブラシ１０１と、電源用ブラシ１０２とが、所定の位置に設けられており、各ブラシ１０１，１０２には、接触部１０１ａ，１０２ａが、それぞれ設けられている。一方、ボトムハウジング２０の底板部２１におけるノブ１００の裏面に対面する部分には、リング状の基板３３が固着されている。この基板３３には、音量を調整するための音量調整回路３３Ａと、電源をＯＮ／ＯＦＦするための電源回路３３Ｂが形成されており、各ブラシ１０１，１０２の接触部１０１ａ，１０２ａは、ノブ１００の回転パターンに応じて、各回路３３Ａ，３３Ｂに接触する。各回路３３Ａ，３３Ｂは、２本の回路を備え、これら回路が、各ブラシ１０１，１０２の接触部１０１ａ，１０２ａが接触して短絡することにより、所定の作用がなされるもので、上記回路基板３２に接続されている。
ノブ１００による作用は、以下の通りである。
【００２８】
［ａ] 電源ＯＦＦ／カバー９０のロック解除
ノブ１００が上記のロック解除の位置においては、図３（ａ）に示すように、突起１００ａが切欠き９４ａに、突起１００ｂが切欠き９４ｂに、突起１００ｃが切欠き９４ｃに、それぞれ対応する位置にあり、カバー９０を開方向にスライドさせると、各切欠き９４ａ〜９４ｃが各突起１００ａ〜１００ｃを通過するので、スライド可能であり、カバー９０を全開にすることができる。図３（ｂ）に示すように、電源用ブラシ１０２の接触部１０２ａは電源回路３３Ｂに接触していないので、電源はＯＦＦである。
【００２９】
［ｂ］電源ＯＦＦ／カバー９０はロックの状態
図４（ａ）に示すように、ロック解除の状態からノブ１００を時計回りに４５°回転させると、各突起１００ａ〜１００ｃがカバー９０のフランジ部９４に係合する。すなわち、カバー９０のフランジ部９４が各突起１００ａ〜１００ｃに当接することにより、カバー９０は抜け止めされたロックの状態になり、電池６０は保持される。また、図４（ｂ）に示すように、電源用ブラシ１０２の接触部１０２ａは電源回路３３Ｂに接触していないので、電源はＯＦＦである。
【００３０】
［ｃ］電源ＯＮ、音量低レベル／カバー９０はロックの状態
図５（ａ）に示すように、上記［ｂ］の状態からノブ１００を時計回りに４５°回転させると、図５（ｂ）に示すように、電源用ブラシ１０２の接触部１０２ａが電源回路３３Ｂに接触するので、電源がＯＮとなる。電源はＯＮであるが、音量調整用ブラシ１０１の接触部１０１ａは音量調整回路３３Ａに接触していないので、音量は最低レベルで一定となる。また、各突起１００ａ〜１００ｃにカバー９０のフランジ部９４が当接するので、カバー９０は引き続きロックの状態である。
【００３１】
［ｄ］電源ＯＮ、音量高レベル／カバー９０はロックの状態
図６（ａ）に示すように、上記［ｃ］の状態からノブ１００を時計回りに４５°回転させると、図６（ｂ）に示すように、音量調整用ブラシ１０１の接触部１０１ａが音量調整回路３３Ａに接触し、このため、音量を所定のレベルに増加させることができる。なお、上記［ｃ］の状態からノブ１００が４５°回転する範囲では、電源用ブラシ１０２の接触部１０２ａは電源回路３３Ｂに接触し、常に電源はＯＮの状態である。各突起１００ａ〜１００ｃにカバー９０のフランジ部９４が当接するので、カバー９０は引き続きロックの状態である。
なお、音量調整回路３３Ａを抵抗線などにより構成し、可変抵抗器として機能させることにより、リニアに音量調整を行うことも可能である。
【００３２】
次いで、上記実施形態の補聴器１の作用を説明する。
この補聴器１では、電池収納空間１６に電池６０が収納されると、回路基板３２を介してマイクロホン３０およびレシーバ３１の駆動用のＩＣに電力が供給される。カバー９０を閉じ、ノブ１００によって電源をＯＦＦにした状態で、イヤーチップ５０を外耳道に挿入し、ノブ１００により電源をＯＮとし、かつ、音量を調整しながら、使用する。音は、集音孔２３から、マイクロホン３０に伝わって集音され、その音は、回路基板３２で増幅されて、レシーバ３１から放音される。そして、その音は、音道管４０内からイヤーチップ５０の先端開口を経て、外耳内に放音される。放音される音の音量は、上記のようにノブ１００を回転させることにより調整することができる。
【００３３】
続いて、収納された電池６０を交換する際の手順を説明する。
ノブ１００をロック解除の位置としてカバー９０を開き、新たに収納する新しい電池６０を、収納されている古い電池６０と同じ姿勢とし、その電池６０を、一方の開口１７から電池収納空間１６に向けて挿入していく。
【００３４】
新しい電池６０が挿入されると同時に、古い電池６０は新しい電池６０に押し出され、新しい電池６０が電池収納空間１６に収納されると、古い電池６０は、他方の開口１７から飛び出し、取り出される。このように新しい電池６０が収納されたら、カバー９０を前方にスライドさせて閉める。以上により、電池６０の交換が終了する。
【００３５】
このような電池交換の操作にあっては、新しい電池６０の収納と古い電池６０の取り出しを同時に行うことができるので、電池交換作業が容易に、かつ円滑に行うことができる。この交換作業のしやすさは、補聴器といった小型の電子機器にとって、とりわけ有用である。また、電池収納空間１６に収納されている古い電池６０を見ながら新しい電池６０を挿入するので、極性を誤ることなく正確に新しい電池６０を収納することができる。特に、上記実施形態の場合は、段部１３ｃ，２１ｃによって、電池収納空間１６は電池６０と相似した形状に見えるので、極性を誤ることが一層防止されるとともに、空の状態の電池収納空間１６に電池６０を収納する際にも、極性を誤る誤挿入を起こしにくい。
【００３６】
上記実施形態の補聴器１によれば、トップハウジング１０内にレシーバ３１を収納し、ボトムハウジング２０内にマイクロホン３０を収納し、これらハウジング１０，２０を正極端子７０で連結した構造である。従来のように、複数の部品を１つのハウジング内に組み込み、さらにそれらを導通させる配線作業を行う場合と比べると、部品（マイクロホン３０やレシーバ３１等）をトップハウジング１０やボトムハウジング２０に分散させ、それら部品を、正極端子７０および負極端子８０を利用する配線を行うことにより、部品の組み込みや配線作業が格段に容易となる。また、ハウジング１０，２０どうしを金属製の正極端子７０で連結し、この正極端子７０でハウジング１０，２０相互を支持し合うので、強度の向上が図られる。
【００３７】
また、上記実施形態では、正極端子７０上に回路基板３２を固着させているので、正極端子７０上に回路基板３２を配置してから、正極端子７０を各ハウジング１０，２０に固着させることにより、組み立てのしやすさが一層向上する。また、回路基板３２は、正極端子７０と、トップハウジング１０の上板部７１との間の空間に配設されているので、部品の配置に余裕ができるとともに、回路基板３２への配線作業を、広い作業スペースで、かつ、組み込み前の安定した状態で行うことができる。また、上記実施形態では、正極端子７０の上板部７１がトップハウジング１０の周壁部１４と平行な状態で固着されており、さらに、正極端子７０は、ボトムハウジング２０の周壁部２４に固着された負極端子８０の主板部８１と平行なので、各ハウジング１０，２０を連結させる強度がより高いものになっている。
【００３８】
次に、図７および図８を参照して、本発明の他の実施形態を説明する。
これら図で、上記実施形態の参照図（図１〜図６）と同一の構成要素には同一の符号を付してあり、その説明を省略あるいは簡略化する。
【００３９】
本実施形態の補聴器２のハウジング１Ｂは、上記と同様のトップハウジング１０と、ボトムハウジング１２０と、内部ハウジング１３０とによって構成されている。上記実施形態と同様に、トップハウジング１０内にはレシーバ３１がセットされており、また、その先端部には、上記と同様のイヤーチップ５０が装着されている。この場合のトップハウジング１０の後端部は、テーパ部ではなく鍔部１３Ｂに形成されている。
【００４０】
内部ハウジング１３０は、リング状であって、トップハウジング１０の鍔部１３Ｂの後側に配され、その外周面がトップハウジング１０の内周面に固着されている。ボトムハウジング１２０は円盤状であって、電池収納空間１６を間に挟んで、トップハウジング１０の後側に同軸的に配されている。このボトムハウジング１２０には、マイクロホン３０が内蔵され、このマイクロホン３０に外部の音を導く集音孔１２３が、ボトムハウジング１２０の中心に形成されている。
【００４１】
ボトムハウジング１２０と内部ハウジング１３０とは、正極端子１７０によって連結されている。この正極端子１７０は、ボトムハウジング１２０の内面に固着される円盤状の底板部１７１と、この底板部１７１の縁から図中前方に延びる上下一対の板部１７２ａ，１７２ｂとを備えている。上側の板部：上板部１７２ａの先端は内部ハウジング１３０の内面に沿って屈曲し、この先端屈曲部は内部ハウジング１３０の内面に固着されている。また、下側の板部；下板部１７２ｂの先端は、内部ハウジング１３０の内面に沿って屈曲し、その先端部は内部ハウジング１３０の前面まで屈曲しており、この先端屈曲部は、内部ハウジング１３０に係合して固着されている。また、正極端子１７０の底板部１７１の側部の縁には、後方に延びる爪部１７１ａが形成されており、これら爪部１７１ａは、ボトムハウジング１２０に嵌入され、固着されている。
【００４２】
このようにして正極端子１７０がボトムハウジング１２０と内部ハウジング１３０とに固着されることにより、トップハウジング１０に固着された内部ハウジング１３０とボトムハウジング１２０とが、正極端子１７０を介して連結されている。
【００４３】
トップハウジング１０内のレシーバ３１の後方の空間には、回路基板３２が配設されており、この回路基板３２の後方には、負極端子１８０が配設されている。この負極端子１８０は、正極端子１７０の底板部１７１と平行に対面する主板部１８１と、この主板部１８１の側部の縁から前方に延びる左右一対の側板部１８２と、一方の側板部１８２の先端から主板部１８１と平行に対面する前板部１８３とを備えており、これら板部１８１，１８２，１８３で囲まれた内部に、回路基板３２が保持されている。負極端子１８０の各側板部１８２はトップハウジング１０の円筒部１１および内部ハウジング１３０の内周面に固着され、これによって、回路基板３２および負極端子１８０は、トップハウジング１０側に固定されている。
【００４４】
ハウジング１Ｂ内には、上記正極端子１７０の底板部１７１および上下の板部１７２ａ，１７２ｂと、負極端子１８０の主板部１８１とにより電池ホルダ部１５が構成され、その内部空間が、電池収納空間１６とされる。この電池収納空間１６に、回路基板３２を介してマイクロホン３０およびレシーバ３１の駆動用のＩＣに電力を供給する電池６０が収納される。
【００４５】
電池６０は、突出部６１を前方のイヤーチップ５０側に向け、かつ、軸方向をハウジング１Ｂと平行にした横置きの姿勢で、電池収納空間１６内に収納される。その収納状態で、電池６０の底面：正極に、正極端子１７０の底板部１７１に接触し、電池６０の突出部６１の端面：負極に、負極端子１８０の主板部１８１が接触する。
【００４６】
正極端子１７０の上下の板部１７２ａ，１７２ｂの間は、電池収納空間への開口１１７となっており、これら開口１１７のうちの一方が、電池収納空間１６に対する電池６０の挿入口、他方が電池６０の取り出し口とされる。内部ハウジング１３０の後端面であって正極端子１７０の両側の部分には、段部１３１、１３２がそれぞれ形成されている。これら段部１３１，１３２の間に、電池６０の突出部６１が挟まれて保持されるようになっている。また、これら段部１３１，１３２により、図８（ａ）に示すように、開口１１７から見た電池収納空間１６の形状（電池６０の出し入れ方向に直交する断面形状）は、電池６０の側面視と相似した形状に見える。
【００４７】
上記正極端子１７０の上下の板部１７２ａ，１７２ｂの外周側には、トップハウジング１０の鍔部１３Ｂの後端面からボトムハウジング１２０の前端面にわたる円筒状のカバー１９０が、軸方向に摺動自在に装着されている。図７（ａ）は、このカバー１９０により開口１１７が塞がれた全閉の状態であり、カバー１９０を図７（ａ）で右側にスライドさせると、図８（ａ）に示すように、開口１１７が開く。カバー１９０は、全閉の状態で、その前端部が内部ハウジング１３０に摺動自在に嵌合する。
【００４８】
カバー１９０の前端内周面には、互いに１８０°離れた位置に、細い凸条からなるストッパ１９１が形成されており、カバー１９０が開閉可能時に、一方のストッパ１９１は一方の開口１１７内に、他方のストッパは他方の開口内に存在するようになされている。カバー１９０は周方向のいずれの方向にも摺動可能となっているが、各ストッパ１９１が、正極端子１７０の上下の板部１７２ａ，１７２ｂにそれぞれ当接することにより、それ以上の回転が規制される。また、カバー１９０を開いていくと、各ストッパ１９１はボトムハウジング１２０に当接し、これによってカバー１９０の抜け止めがなされ、その状態で、カバー１９０は全開となる。
【００４９】
このようにカバー１９０が開いた状態（図８（ａ）で示す）から、カバー１９０をイヤーチップ５０側である先端方向にスライドさせていくと、カバー１９０の先端面が内部ハウジング１３０の後端面に当接し、これでカバー１９０が全閉となる。この全閉の状態は、カバー１９０を回転させてストッパ１９１を内部ハウジング１３０の外周面に形成された図示せぬ溝に嵌合させることにより、カバー１９０はスライド不能となって保持される。なお、カバー１９０の外周面には、滑り止めとして、軸方向に延びる複数の凸条１９２が、周方向に等間隔をおいて形成されている。
【００５０】
この実施形態の補聴器２では、電池収納空間１６に電池６０が収納されると、その電池６０の正極が正極端子１７０の底板部１７１に接触し、負極が負極端子１８０の主板部１８１に接触し、電源がオンとなる。この状態で、イヤーチップ５０を外耳道に挿入して使用する。電池６０の交換は、先の実施形態と同様に、カバー１９０を開けて、一方の開口１１７から新しい電池６０を挿入していくと同時に古い電池６０を押し出すことにより、行うことができる。
【００５１】
この実施形態の補聴器２でも、正極端子１７０によって、トップハウジング１０および内部ハウジング１３０と、これらハウジング１０，１３０と分割されるボトムハウジング１２０とが連結され、互いに支持し合っている。したがって、部品（マイクロホン３０やレシーバ３１等）をトップハウジング１０やボトムハウジング１２０に分散させ、それら部品を、正極端子１７０および負極端子１８０を利用する配線を行うことにより、部品の組み込みや配線作業が格段に容易となることや、ハウジング１０，１２０どうしを金属製の正極端子１７０で連結し、この正極端子１７０でハウジング１０，１２０相互を支持し合うので、強度の向上が図られるといった、上記実施形態と同様の効果が奏される。
【００５２】
特にこの実施形態では、連結用の正極端子１７０に、ハウジングを延ばして固着させてはおらず、正極端子１７０単独でハウジング１０，１２０どうしを連結しているので、小型化ならびに軽量化を図ることができる。
【００５３】
なお、この実施形態では、カバー１９０を別途設けず、カバー１９０とボトムハウジング１２０とを一体化させてこれをボトムハウジングとし、このボトムハウジングを正極端子１７０の上下の板部１７２ａ，１７２ｂをガイドとしてスライドさせて、電池収納空間１６を開閉するように構成してもよい。
【図面の簡単な説明】
【００５４】
【図１】本発明の一実施形態に係る補聴器であって、（ａ）はカバーが閉じた状態の側断面図、（ｂ）は（ａ）の１Ｂ−１Ｂ線矢視断面図である。
【図２】本発明の一実施形態に係る補聴器であって、（ａ）はカバーが開いた状態の側断面図、（ｂ）は後面図である。
【図３】ノブの作用を示す図であって、（ａ）はカバーのロック解除の状態を示す補聴器の後面図、（ｂ）は（ａ）の状態における音量調整回路および電源回路を備えた基板に対するノブ側の音量調整用ブラシおよび電源用ブラシの接触部の位置を示す図である。
【図４】図３の状態からノブを時計回りに４５°回転させた状態の（ａ）補聴器の後面図、（ｂ）上記基板に対する上記接触部の位置を示す図である。
【図５】図４の状態からノブを時計回りに４５°回転させた状態の（ａ）補聴器の後面図、（ｂ）上記基板に対する上記接触部の位置を示す図である。
【図６】図５の状態からノブを時計回りに４５°回転させた状態の（ａ）補聴器の後面図、（ｂ）上記基板に対する上記接触部の位置を示す図である。
【図７】本発明の他の実施形態に係る補聴器であって、（ａ）はカバーが閉じた状態の側断面図、（ｂ）は（ａ）の７Ｂ−７Ｂ線矢視断面図である。
【図８】本発明の他の実施形態に係る補聴器であって、（ａ）はカバーが開いた状態の側断面図、（ｂ）は後面図である。
【符号の説明】
【００５５】
１，２…補聴器（電子機器）
１Ａ，１Ｂ…ハウジング
１０…トップハウジング
１５…電池ホルダ部
１６…電池収納空間
２０，１２０…ボトムハウジング
３０…マイクロホン（部品）
３１…レシーバ（部品）
３２…回路基板
６０…電池
７０，１７０…正極端子
８０，１８０…負極端子
【図１】
2005286851.tif 000003
【図２】
2005286851.tif 000004
【図３】
2005286851.tif 000005
【図４】
2005286851.tif 000006
【図５】
2005286851.tif 000007
【図６】
2005286851.tif 000008
【図７】
2005286851.tif 000009
【図８】
2005286851.tif 000010